(57)【要約】      （修正有）【課題】端末装置の分割した画面の１つにおける情報をＰｏＣ通信中のメンバーで共有する。【解決手段】メンバーのプレゼンス状態を確認しながらＥ−ｍａｉｌ編集、サイト閲覧のような携帯電話機の一般的な操作をするために、ＰｏＣ通信中のメンバーが利用する複数の端末装置を含み、所定の端末装置で画面二分割装置２２により分割して表示されている画面の少なくとも１つをＰｏＣ通信中のメンバーが利用する他の端末装置で共有する。【選択図】図２
2014078947.tif 000002
【特許請求の範囲】
【請求項１】
ＰｏＣ通信中のメンバーが利用する複数の端末装置を含む情報共有システムであって、
前記端末装置は、
前記端末装置の画面を複数の分割画面に分割し、ＰｏＣ通信に用いられる分割画面を含む前記複数の分割画面を同時に表示する画面分割装置を有し、
前記画面分割装置は、前記同時に表示されるＰｏＣ通信の分割画面にＰｏＣ通信中のメンバーのプレゼンス状態を表示するものであることを特徴とする情報共有システム。
【請求項２】
前記画面分割装置は、ＰｏＣ通信中での一のメンバーのサイトの情報を他のメンバー報知するものであることを特徴とする請求項１に記載の情報共有システム。
【請求項３】
前記画面二分割装置は、ＰｏＣ通信中のメンバーが保有する携帯端末に表示された複数の画面を１つの画面上に起動させるものであることを特徴とする請求項１に記載の情報共有システム。
【請求項４】
前記画面二分割装置は、通信相手方の保有する携帯端末に表示された画面の機能設定を、自機の画面の機能設定に反映させるものであることを特徴とする請求項１に記載の情報共有システム。
【請求項５】
ＰｏＣ通信に利用する複数の端末装置を利用した情報共有方法であって、
前記端末装置の画面を複数の分割画面に分割し、ＰｏＣ通信に用いられる分割画面を含む前記複数の分割画面を同時に表示し、且つ前記同時に表示されるＰｏＣ通信の分割画面にＰｏＣ通信中のメンバーのプレゼンス状態を表示し、
前記起動する分割画面に対して予めＰｏＣ通信中におけるルールを設定することを特徴とする情報共有方法。
【請求項６】
ＰｏＣ通信中での一のメンバーのサイトの情報を他のメンバー報知することを特徴とする請求項５に記載の情報共有方法。
【請求項７】
ＰｏＣ通信中のメンバーが保有する携帯端末に表示された複数の画面を１つの画面上に起動させることを特徴とする請求項５に記載の情報共有方法。
【請求項８】
通信相手方の保有する携帯端末に表示された画面の機能設定を、自機の画面の機能設定に反映させるものであることを特徴とする請求項５に記載の情報共有方法。
【請求項９】
ＰｏＣ通信中のメンバーが利用する複数の端末装置を利用して情報を共有させる制御を行うプログラムであって、
コンピュータに、
前記端末装置の画面を複数の分割画面に分割し、ＰｏＣ通信に用いられる分割画面を含む前記複数の分割画面を同時に表示する機能と、
前記同時に表示されるＰｏＣ通信の分割画面にＰｏＣ通信中のメンバーのプレゼンス状態を表示する機能と、
前記起動する分割画面に対して予めＰｏＣ通信中におけるルールを設定する機能とを実行させることを特徴とするプログラム。
【請求項１０】
前記コンピュータに、ＰｏＣ通信中での一のメンバーのサイトの情報を他のメンバー報知する機能を実行させることを特徴とする請求項９に記載のプログラム。
【請求項１１】
前記コンピュータに、ＰｏＣ通信中のメンバーが保有する携帯端末に表示された複数の画面を１つの画面上に起動する機能を実行させることを特徴とする請求項９に記載のプログラム。
【請求項１２】
前記コンピュータに、通信相手方の保有する携帯端末に表示された画面の機能設定を、自機の画面の機能設定に反映する機能を実行させることを特徴とする請求項９に記載のプログラム。
【発明の詳細な説明】
【技術分野】
【０００１】
本発明は、端末装置においてＰｏＣ（Push  to  talk  over  Cellular）通信中のメンバーで情報を共有する技術に関する。
【背景技術】
【０００２】
従来、携帯電話機などの端末装置において、ＰｏＣ通話中は基本的にメンバーのプレゼンス状態を常に確認しておく必要や、メンバーの会話内容を聞いておく必要がある。
【０００３】
メンバーのプレゼンス状態を確認しながらＥ−ｍａｉｌ編集、サイト閲覧のような携帯電話機の一般的な操作をするためには、マルチタスクなどの機能を利用してひとつの画面を切り替えて操作を行わなければならなかった。例を挙げると、ＰｏＣ通信により会議を行っている際に、会議中のメンバーのプレゼンス状態を常に確認しながら、Ｅ−ｍａｉｌ編集を行うことはできなかった。
【０００４】
ここで、画面分割手段がＬＣＤを複数に分割し、画面選択手段が分割した画面から任意の１画面を選択し、１ドット単位での移動を行う前に、ＬＣＤの目的位置までの範囲を絞り込むことで、特別なハードウエアを搭載することなく、表示画面の任意の位置までカーソル移動をより少ないキー操作でかつ簡単なキー操作で行うことができる技術が提案されている（例えば、特許文献１参照）。
【先行技術文献】
【特許文献】
【０００５】
【特許文献１】特開２００２−０１４７７３号公報
【発明の概要】
【発明が解決しようとする課題】
【０００６】
しかしながら、上述した従来例を端末装置の画面に適用した場合であっても問題点があった。
【０００７】
端末装置の分割した画面の１つをＰｏＣ通信中のメンバーで共有することができず、メンバー相互間の種々のコミュニケーションを円滑に行うことが困難であった。
【０００８】
本発明は、以上説明した事情に鑑みてなされたものであり、その目的は、端末装置の分割した画面の１つにおける情報をＰｏＣ通信中のメンバーで共有することにある。
【課題を解決するための手段】
【０００９】
上記課題を解決するために、本発明は、分割して表示されている画面の少なくとも１つをＰｏＣ通信中のメンバーが利用する他の端末装置に共有させる端末装置を提供する。
【００１０】
また、本発明は、ＰｏＣ通信中のメンバーが利用する所定の端末装置で分割して表示されている画面の少なくとも１つを共有する端末装置を提供する。
【００１１】
また、本発明は、ＰｏＣ通信中のメンバーが利用する所定の複数の端末装置でそれぞれ分割して表示されている画面を同時に表示して共有する端末装置を提供する。
【００１２】
また、本発明は、ＰｏＣ通信中のメンバーが利用する複数の端末装置を含む情報共有システムであって、
所定の端末装置で分割して表示されている画面の少なくとも１つを前記ＰｏＣ通信中のメンバーが利用する他の端末装置で共有する情報共有システムを提供する。
【００１３】
また、本発明は、ＰｏＣ通信中のメンバーが利用する複数の端末装置を含む情報共有システムであって、
所定の複数の端末装置でそれぞれ分割して表示されている画面を前記ＰｏＣ通信中のメンバーが利用する他の端末装置で同時に表示して共有する情報共有システムを提供する。
【００１４】
また、本発明は、ＰｏＣ通信中のメンバーが利用する複数の端末装置を利用した情報共有方法であって、
所定の端末装置が画面を分割して表示するステップと、
その分割して表示されている画面の少なくとも１つを前記ＰｏＣ通信中のメンバーが利用する他の端末装置で共有するステップを有する情報共有方法を提供する。
【００１５】
また、本発明は、ＰｏＣ通信中のメンバーが利用する複数の端末装置を利用した情報共有方法であって、
所定の複数の端末装置がそれぞれ画面を分割して表示するステップと、
その分割して表示されている画面を前記ＰｏＣ通信中のメンバーが利用する他の端末装置で同時に表示して共有するステップを有する情報共有方法を提供する。
【発明の効果】
【００１６】
本発明によれば、端末装置の分割した画面の１つにおける情報をＰｏＣ通信中のメンバーで共有することができる。
【発明を実施するための最良の形態】
【００１７】
以下、本発明の第１の実施の形態について図面を参照して詳細に説明する。
【００１８】
図２、３を参照すると、本実施の形態における情報共有システムにおける端末装置は、携帯端末３１と、キー入力対象画面切り替えボタン３２と、画面二分割装置２２により分割されたＰｏＣ通信中画面３３と、ｉ−ｍｏｄｅ（登録商標）画面３４と、ルール設定装置２１と、キー入力対象画面切り替え装置２３から成る。
【００１９】
ここに、画面二分割装置２２とルール設定装置２１とにより、ＰｏＣ通信に対応させて携帯端末３１の画面を複数の画面に分割して起動する画面起動手段が構成される。キー入力対象画面切り替え装置２３は、前記起動した複数の画面を切り替えて選択する切替選択手段を構成している。この場合、ルール設定装置２１は、予めＰｏＣ通信におけるルール設定を行い、画面二分割装置２２は、ルール設定装置２１によるルール設定に基づいて、図３に示すように、ＰｏＣ通信中画面と並存させて、ＰｏＣ通信中に使用しないキーボードなどのキーを操作された際にｉ−ｍｏｄｅ（登録商標）画面を、１ボタン（キー）を長押しした際にＥ−ｍａｉｌ画面を起動させるものとする。但し、ルール設定装置２１とによるルールは、前述したルールに限定されるものではない。
【００２０】
次に、本実施の形態の動作について説明する(能動系:ＰｏＣ通信中ｉ−ｍｏｄｅ（登録商標）起動)。
【００２１】
まず、ＰｏＣ（Push  to  talk  over  Cellular）通信を仕事でもプライベートでもよく利用するユーザＡは、ＰｏＣ通信中にキーボードなどの数字キー「１」のボタンを長押しすることで、ｉ−ｍｏｄｅ（登録商標）を起動する、というルールをルール設定装置２１で設定したとする。ここに、ＰｏＣとは、ボタン操作によって複数の通話を切り替えることができるシステムをプッシュトゥトーク（Push  to  Talk）を、携帯電話などの携帯端末で実現するようにしたシステムである。前記複数の通話を切り替えるためのボタン操作を行うために設定されるキーボードなどのキーには、ＰｏＣ通信中に利用しないキーを用いている。なお、実施例では、ＰｏＣ通信で切り替える通話は、２つに設定して説明しているが、これに限られるものではない。
【００２２】
いま、携帯端末３１を利用中のユーザＡは、ＰｏＣ通信を利用して会議に参加している。ユーザＡは、ＰｏＣ通信中であるが、ｉ−ｍｏｄｅ（登録商標）のサイト経由で早急に振込みをしなければならないことを思い出した。
【００２３】
しかし、ＰｏＣ通信を利用した会議中において、ＰｏＣ通信中のメンバーのプレゼンス状態を確認しておく必要があった。さらに、その会議において、必要に応じてメンバーに対して指示を出さなければならなかった。
【００２４】
そこで、ユーザＡは、画面二分割装置２２を利用して携帯電話の画面をＰｏＣ通信中画面３３と、ｉ−ｍｏｄｅ（登録商標）画面３４とに分割し、それぞれ分割した画面３３と３４とを並存させて起動させる。
【００２５】
画面二分割装置２２により携帯端末３１の画面を２つに分割して起動させると、例えば図１に示すように、会議中の画面であるＰｏＣ通信中画面３３と、ｉ−ｍｏｄｅ（登録商標）画面３４とが起動して携帯端末３１の画面上に表示される。ＰｏＣ通信中画面３３には、例えば、図１に示すような、今まで表示していたＰｏＣ通信中のメンバーのプレゼンス状態が表示され、ｉ−ｍｏｄｅ（登録商標）画面３４を使って、ｉ−ｍｏｄｅ（登録商標）での通信を行うことができる。
【００２６】
キー入力対象画面切り替え装置２３を操作するボタンとして携帯端末３１のボタン３２が設定されており、このボタン３２を操作してキー入力対象画面切り替え装置２３を起動し、キーボードなどのキーを使って情報を入力する対象とする画面を分割画面３３又は３４のいずれか一方に設定する。具体的に説明すると、ユーザＡがキー入力対象画面切り替え装置２３を操作するキー入力対象画面切り替えボタン３２で「上」、すなわちＰｏＣ通信中画面３３に切り替えるように設定しているときは、携帯端末３１のキー入力装置（キーボートなど）を用いた情報の入力は、ＰｏＣ通信中画面３３に対して行われることとなる。
【００２７】
ユーザＡがキー入力対象画面切り替えボタン３２で「下」、すなわちｉ−ｍｏｄｅ（登録商標）画面３４に切り替えるように設定しているときは、携帯端末３１のキー入力装置（キーボードなど）を用いた情報の入力は、ｉ−ｍｏｄｅ（登録商標）画面３４に対して行われる。この場合、例えばｉ−ｍｏｄｅ（登録商標）の振込みサイト画面上で必要な情報の入力が可能となる。
【００２８】
ユーザＡはキー入力対象画面切り替えボタン３２でＰｏＣ通信中画面３３と、ｉ−ｍｏｄｅ（登録商標）画面３４のキー入力の対象を切り分けることにより、会議に参加しながら、会議に関係ない処理を並行させて処理することができる。
【００２９】
これにより、ＰｏＣ通信中のグループメンバーのプレゼンス状態を確認しながらｉ−ｍｏｄｅ（登録商標）やＥ−ｍａｉｌ編集を行いたいユーザの要求を満たすことができる。また、ＰｏＣ通信中、自分は特に話すこともなく相手の発言を待たなければならないようなとき、メンバーのプレゼンス状態確認だけのために、携帯電話の画面が占有されてしまうことなく、複数の通話を並行させて処理できる。さらに、携帯電話機上においてはキーの数は限られているため、効率のよいキー操作方法が必要とされるが、ＰｏＣ通信中に利用しない不要なキーを使うことで、ＰｏＣ通信で切り替えられた画面への情報を入力を効率的に行うことができる。
【００３０】
さらに、図４に示すように、複数のユーザＡ，Ｂ及びＣは、お互いにＰｏＣ通信を行い、携帯端末３１の画面をＰｏＣ通信中画面３３とｉ−ｍｏｄｅ（登録商標）画面３４とに分割している。そして、ユーザＣは、他のユーザＡ，Ｂに対して、自分の携帯端末Ｃのｉ−ｍｏｄｅ（登録商標）画面３４で表示されているｉ−ｍｏｄｅ（登録商標）のｐａｇｅＣのサイト画面などをＰｏＣ通信中のメンバー（ユーザＡ，Ｂ）で共有することにより、ユーザＣが他のメンバーに見てもらいたいサイトの情報を簡易に全メンバーに報知することができる。
【００３１】
また、図５に示すように、画面二分割装置２２は、ＰｏＣ通信中のメンバーが保有する携帯端末３１に表示された複数の画面を１つの画面上に起動させるように構成してもよいものである。具体的に説明すると、ユーザＣの端末Ｃのｉ−ｍｏｄｅ（登録商標）画面３４で表示されているｉ−ｍｏｄｅ（登録商標）のｐａｇｅＣのサイト画面などと、ユーザＢの端末Ｂのｉ−ｍｏｄｅ（登録商標）画面３４で表示されているｉ−ｍｏｄｅ（登録商標）のｐａｇｅＢのサイト画面などをユーザＡの端末Ａのｉ−ｍｏｄｅ（登録商標）画面３４を分割してそれぞれ同時に表示することにより、ユーザＡが複数のメンバーの情報を簡易に取得することができる。さらに、操作許可権などを付与することで、ユーザＡの端末ＡからユーザＣの端末ＣやユーザＢの端末Ｂのｉ−ｍｏｄｅ（登録商標）画面３４を操作することができてもよい。
【００３２】
また、図６に示すように、画面に分割装置２２は、通信相手方の保有する携帯端末３１に表示された画面の機能設定を、自機の画面の機能設定に反映させるように構成してもよいものである。具体的に説明すると、母の端末Ａのｉ−ｍｏｄｅ（登録商標）画面３４で表示されている留守番電機能の設定画面などを息子の端末Ｂのｉ−ｍｏｄｅ（登録商標）画面３４に表示することにより、留守番電機能の設定画面などをＰｏＣ通信中のメンバーで共有し、息子の端末Ｂから母の端末Ａのｉ−ｍｏｄｅ（登録商標）画面３４の留守番電機能の設定を行うことができてもよい。これを同一メーカーの端末間のみのサービスとして実現すれば、家族全員が同一メーカーの機種を選択する誘因とすることもできる。
【００３３】
次に、本発明の第２の実施の形態について説明する。
【００３４】
図７および図８を参照すると、本実施の形態における情報共有システムにおける端末装置は、携帯端末５１と、キー入力対象画面切り替えボタン４３と、画面二分割装置４２により分割されたＰｏＣ通信中画面５２と、新着Ｅ−ｍａｉｌ画面５３と、ルール設定装置４１とから成る。
【００３５】
ここに、画面二分割装置４２とルール設定装置４１とにより、ＰｏＣ通信に対応させて携帯端末５１の画面を複数の画面に分割して起動する画面起動手段が構成される。キー入力対象画面切り替え装置４３は、前記起動した複数の画面を切り替えて選択する切替選択手段を構成している。この場合、画面二分割装置４２とルール設定装置４１は、ルール１に基づいて、Ｅ−ｍａｉｌ受信したときに画面を二分割して新着メールを開く形態に設定しているものとする。但し、画面二分割装置４２とルール設定装置４１とによるルールは、前述したルール１に限定されるものではない。
【００３６】
前記画面起動手段（４１，４２）は、分割された１つの画面を起動させた状態で待機させ、ＰｏＣ通信が開始された時点で、前記１つの画面に割り込ませて分割された残りの画面を起動させる。
【００３７】
次に、本実施の形態の動作について説明する(受動系：ＰｏＣ通信中Ｅ−ｍａｉｌ受信)。
【００３８】
まず、ユーザＢはＰｏＣ通信中にＥ−ｍａｉｌ受信したときに画面を二分割してＰｏＣ通信画面を表示しながら新着Ｅ−ｍａｉｌを閲覧・編集できるようにルール設定装置４１を利用して、例えば、図１に示すようなものからルール１を設定している。
【００３９】
いま、携帯端末５１を利用中のユーザＢは、ＰｏＣ通信を利用して会議中である。そのとき、Ｅ−ｍａｉｌを受信したとする。
【００４０】
ルール設定装置４１で設定していたように携帯端末５１の画面が自動的に画面二分割装置４２を利用して画面がＰｏＣ通信中画面５２と、新着Ｅ−ｍａｉｌ画面５３に分割される。
【００４１】
ＰｏＣ通信中画面５２には、今まで表示していたＰｏＣ通信中のメンバーのプレゼンス状態が表示され、そのＰｏＣ通信中画面５２の一部に割り込んで新着Ｅ−ｍａｉｌ画面５３が表示され、新着メールの内容が前記新着Ｅ−ｍａｉｌ画面５３に表示される。
【００４２】
この場面では、メールの内容は即座に返事を要求されるものであると共に、ＰｏＣ通信中画面５２を注視して、ＰｏＣ通信中のメンバーのプレゼンス状態を確認しておく必要があるものとする。さらに、必要に応じてメンバーに対して指示を出す必要があるものとする。
【００４３】
ユーザＢは、キー入力対象画面切り替えボタン４３でキー入力対象画面をＰｏＣ通信中画面５２から新着Ｅ−ｍａｉｌ画面５３に切り替え、新着Ｅ−ｍａｉｌ画面５３を使ってＥ−ｍａｉｌ返信をする。
【００４４】
次に、本発明の第３の実施の形態について説明する。
【００４５】
図９および図１０を参照すると、本実施の形態における情報共有システムにおける端末装置は、携帯端末７１と、画面二分割装置６２により分割されたＰｏＣ通信中画面７２と、電話着信表示画面７３と、ルール設定装置６１とから成る。
【００４６】
ここに、画面二分割装置６２とルール設定装置６１とにより、ＰｏＣ通信に対応させて携帯端末７１の画面を複数の画面に分割して起動する画面起動手段が構成される。この場合、ルール設定装置６１は、予めＰｏＣ通信におけるルール設定を行うものである。具体的に説明すると、ルール設定装置６１は例えば、ルール１として、電話着信を通知するか否か（ＹＥＳ又はＮＯ）、ルール２として、通話ボタンを押したときのＰｏＣ通信中の音声設定を行う。ルール設定装置６１は、ルール２−１としてＰｏＣ通信中の音声をミュートに設定する、ルール２−２としてＰｏＣ通信中の音声の音量を下げる（例えば半減させる）、ルール２−３としてＰｏＣ通信中の音声を録音させることを内容としたルール設定を行う。但し、ルール設定装置２１とによるルールは、前述したルールに限定されるものではない。なお、この実施形態では、携帯端末７１の通話用の押しボタンが、起動した複数の画面を切り替えて選択する切替選択手段を構成している。
【００４７】
次に、本実施の形態の動作について説明する(受動系：ＰｏＣ通信中電話着信)。
【００４８】
まず、ユーザＣはルール設定装置６１によりＰｏＣ通信中に電話着信があったときに電話着信を通知するというルール１をＹＥＳに設定し、通話ボタンを押したときのＰｏＣ通信中の音声設定ルール２のうちのルール２−３に設定し、ＰｏＣ通信中の音声を録音する状態に設定している。
【００４９】
いま、携帯端末７１を利用中のユーザＣは、ＰｏＣ通信を利用して会議中である。そのとき、電話の着信があったものとする。
【００５０】
ルール設定装置６１で設定していたように携帯端末７１の画面が自動的に画面二分割装置６２を利用して画面がＰｏＣ通信中画面７２と、電話着信表示画面７３に分割されて起動する。
【００５１】
ＰｏＣ通信中画面７２に今まで表示していたＰｏＣ通信中のメンバーのプレゼンス状態を表示し、電話着信表示画面７３に電話着信中が表示される。
【００５２】
この場面において、電話着信表示画面７３を見ると、重要な取引相手先からの電話であったものとする。一方、ＰｏＣ通信を用いた会議中であり、ＰｏＣ通信中の会議の議事録を作成する必要があるものとする。
【００５３】
ユーザＣは、通話ボタンを押して電話に応答する。ユーザＣは、ルール２に基づいてＰｏＣ通信中の音声を録音する状態に設定していたので、ＰｏＣ通信中の音声が録音される。したがって、ユーザＣは、通話ボタンを押して応対した通話が終了した後、録音されているＰｏＣ通信中の会議内容を再生することで、議事録を作成することができる。
【００５４】
上記の各実施の形態によれば、ユーザのＰｏＣ通信中の他アプリケーションの動作設定に応じて携帯電話画面が２分割されることにより、ひとつの画面でＰｏＣ通信中のメンバーのプレゼンス状態を確認しながら、もうひとつの画面で携帯電話の一般機能の操作を可能にする。また、ユーザは操作したい画面をアクティブ画面切り替えスイッチによりでその画面に対するキー操作が可能となる。
【００５５】
なお、画面は、上下二分割に限らず、左右二分割でもよい。また、画面を二分割を前提で説明したが多分割でもよい。さらに、分割した画面はＰｏＣに限らずＥ−ｍａｉｌとｉ−ｍｏｄｅ（登録商標）のようにどのような組み合わせでもよい。
【００５６】
マルチ画面の切替は、携帯端末のヒンジ部分に限らず、タッチセンサを実装した液晶パネル部分へのタッチでも、リモコン機能を実装した外部ケーブルによる指示入力でも、音声識別機能で待機状態にあるマイクロホン部分への（キーワード音声やだ音などの音声以外の音入力を含む）音声入力等をトリガーにしてもよい。
【００５７】
上述する各実施の形態は、本発明の好適な実施の形態であり、本発明の要旨を逸脱しない範囲内において種々変更実施が可能である。例えば、携帯端末３１、携帯端末５１、携帯端末７１の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００５８】
【図１】本発明の実施の形態におけるＰｏＣ通信中のメンバーのプレゼンス状態などを示す図である。
【図２】本発明の第１の実施の形態における動作を示すフローチャートである。
【図３】本発明の第１の実施の形態における携帯端末の構成を示す図である。
【図４】本発明の第１の実施の形態における画面を共有する一例の構成を示す図である。
【図５】本発明の第１の実施の形態における画面を共有する一例の構成を示す図である。
【図６】本発明の第１の実施の形態における画面を共有する一例の構成を示す図である。
【図７】本発明の第２の実施の形態における動作を示すフローチャートである。
【図８】本発明の第２の実施の形態における携帯端末の構成を示す図である。
【図９】本発明の第３の実施の形態における動作を示すフローチャートである。
【図１０】本発明の第３の実施の形態における携帯端末の構成を示す図である。
【符号の説明】
【００５９】
２１    ルール設定装置
２２    画面二分割装置
２３    キー入力対象画面切り替え装置
３１    携帯端末
３２    キー入力対象画面切り替えボタン
３３    ＰｏＣ通信中画面
３４    ｉ−ｍｏｄｅ（登録商標）画面
【図１】
2014078947.tif 000003
【図２】
2014078947.tif 000004
【図３】
2014078947.tif 000005
【図４】
2014078947.tif 000006
【図５】
2014078947.tif 000007
【図６】
2014078947.tif 000008
【図７】
2014078947.tif 000009
【図８】
2014078947.tif 000010
【図９】
2014078947.tif 000011
【図１０】
2014078947.tif 000012